(57)【要約】【課題】音声通話性能、装着安定性、及び落下防止機能を含めたヘッドセット品質の高い耳掛け型ワイヤレスヘッドセットを提供する。【解決手段】耳掛け型ワイヤレスヘッドセット１０は、電気・電子部品が収容されたハウジング２０と、湾曲状のイヤーフック３０と、イヤホン４０と、マイクロホン５０と、を有している。イヤーフック３０は、一端がハウジング２０に回転自在に取り付けられ、他端が使用者１の耳介２の外周に沿って回動してその耳介２の外周に掛けられる。イヤホン４０は、ハウジング２０に突設され、音声信号を音波に変換して外耳道３へ導入するものである。更に、マイクロホン５０は、一端がハウジング２０に挿脱自在に挿着され、他端が使用者１の口元４の付近に配置され、その口元４から発せされる音波を音声信号に変換するものである。【選択図】図１
0003232029.tif 000002
【実用新案登録請求の範囲】
【請求項１】
無線により音声信号の送受信を行う無線送受信部、前記音声信号の処理を行う音声信号処理部、及び電源供給用のバッテリを含む電気・電子部品が収容されたハウジングと、
一端が前記ハウジングに回転自在に取り付けられ、他端が使用者の耳介の外周に沿って回動して前記耳介の外周に掛けられる湾曲状のイヤーフックと、
前記ハウジングに突設され、前記音声信号処理部で処理された前記音声信号を音波に変換して外耳道へ導入するイヤホンと、
一端が前記ハウジングに挿脱自在に挿着され、他端が前記使用者の口元付近に配置され、前記口元から発せられる音波を音声信号に変換し、前記音声信号処理部を通して前記無線送受信部へ送るマイクロホンと、
を有することを特徴とする耳掛け型ワイヤレスヘッドセット。
【請求項２】
前記無線送受信部は、
Ｂｌｕｅｔｏｏｔｈ送受信器により構成されている、
ことを特徴とする請求項１記載の耳掛け型ワイヤレスヘッドセット。
【請求項３】
前記イヤホンは、
前記音声信号処理部で処理された前記音声信号を前記音波に変換するドライバユニットと、
前記ドライバユニットで変換された前記音波を一定方向へ導く音導部と、
前記音導部の先端部に装着され、前記音導部により導かれた前記音波を前記外耳道へ導入するイヤーピースと、
を有するカナル型イヤホンである、
ことを特徴とする請求項１又は２記載の耳掛け型ワイヤレスヘッドセット。
【請求項４】
前記ハウジングには、前記音声信号処理部に接続され、前記マイクロホンを挿脱自在に挿着するためのジャックが設けられ、
前記マイクロホンは、棒状のアームを有し、前記アームの一端には、前記ジャックに挿着されるプラグが設けられ、前記アームの他端には、前記口元から発せられる前記音波を前記音声信号に変換して前記プラグへ送る集音部が設けられている、
ことを特徴とする請求項１〜３のいずれか１項記載の耳掛け型ワイヤレスヘッドセット。
【請求項５】
前記マイクロホンの前記アームは、湾曲可能及び／又は伸縮可能な構造になっている、
ことを特徴とする請求項４記載の耳掛け型ワイヤレスヘッドセット。
【請求項６】
前記イヤホンは、
ステレオ再生用の両耳用、又は、モノラル再生用の片耳用である、
ことを特徴とする請求項１〜５のいずれか１項記載の耳掛け型ワイヤレスヘッドセット。
【考案の詳細な説明】
【技術分野】
【０００１】
本考案は、携帯電話機やパーソナルコンピュータ等の外部機器とワイヤレス（無線）で接続して音声の送受信を行うための、イヤホン及びマイクロホンを備えた耳掛け型ワイヤレスヘッドセットに関するものである。
【背景技術】
【０００２】
従来、例えば、特許文献１，２には、耳掛け型ワイヤレスヘッドセットの技術が開示されている。
【０００３】
特許文献１では、スピーカと無線送受信回路部（例えば、近距離無線通信を行うＢｌｕｅｔｏｏｔｈモジュール）を内蔵し、そのスピーカの放音部が耳穴を覆うようにしてあてがわれるヘッドセット本体と、そのヘッドセット本体から略円弧状を呈して突出形成され、耳介に掛け合わされることによってそのヘッドセット本体を保持する着脱自在の弾性アーム部であるイヤーフックと、を有する耳掛け型ワイヤレスヘッドセットが開示されている。イヤーフックは、耳介に掛け合わせた状態においてその先端部が口元に近接して延在され、その先端部の内部に、無線送受信回路部と接続された着脱自在のマイクロホンを内蔵することによってスピーカとの間隔を保持し、音響特性の向上を図っている。
【０００４】
特許文献２では、ヘッドセット本体にマイクロホンが内蔵され、そのヘッドセット本体に設けられたイヤホンが耳介の内側窪み部に嵌り込むインナ型になった耳掛け型ワイヤレスヘッドセットが開示されている。耳掛けハンガであるイヤーフックの形状は、イヤホンに対して耳介の付け根部分の形に沿って偏芯し、その耳介の付け根部分上部から下部にかけて厚みが増すように形成されている。そして、耳への装着時、耳介の付け根部分に接触するイヤーフックとインナ型のイヤホンとで、耳介を挟み込むので、装着時のヘッドセット本体の傾きやぐらつきを抑え、装着安定性を向上させている。
【０００５】
このように、近年、イヤホン市場においてＢｌｕｅｔｏｏｔｈ技術を活用したワイヤレスイヤホンが増えている。又、より小型・軽量化の市場の要求により、完全ワイヤレスステレオ（Ｔｒｕｅ  Ｗｉｒｅｌｅｓｓ  Ｓｔｅｒｅｏ、以下「ＴＷＳ」という。）型のイヤホンも増加している。一方、新型コロナウィルスの蔓延に伴い、企業のテレワーク推進の流れが急速に広がっている。
【先行技術文献】
【特許文献】
【０００６】
【特許文献１】特開２００５−２７７９９５号公報
【特許文献２】特開２００５−３２８１１８号公報
【考案の概要】
【考案が解決しようとする課題】
【０００７】
特許文献１，２の耳掛け型ワイヤレスヘッドセットでは、以下の（ａ），（ｂ）のような課題がある。
【０００８】
（ａ）  特許文献１の耳掛け型ワイヤレスヘッドセットでは、耳介の外周に掛けるイヤーフックの先端部に、マイクロホンを内蔵させているので、耳への装着時にイヤーフックが邪魔にならないよう、そのイヤーフックをあまり長くすることができない。そのため、イヤーフックの先端部に内蔵されたマイクロホンが、口元から離れるので、周囲の雑音も集音されて音声通話に支障が生じる。使用時に、ヘッドセット本体に設けられたスピーカの放音部が耳穴を覆うようにしてあてがわれるので、音漏れが生じ、又、装着時のヘッドセット本体の傾きやぐらつきが生じ、装着安定性に欠ける。マイクロホン通話機能を備えたＴＷＳイヤホンも市場に多く流通しているが、そのＴＷＳイヤホンは左右のイヤホンが独立しているため、例えば、駅のホーム等の屋外で落としてしまう等の事故も絶えず社会問題となっている。
【０００９】
（ｂ）  特許文献２の耳掛け型ワイヤレスヘッドセットでは、ヘッドセット本体にマイクロホンが内蔵され、そのマイクロホンが口元から離れているので、そのマイクロホンの集音性能は、クリアな音声通話には不十分である。
このように、従来の耳掛け型ワイヤレスヘッドセットでは、音声通話性能、装着安定性、及び落下防止機能を含めたヘッドセット品質の高い耳掛け型ワイヤレスヘッドセットを実現することが困難であった。
【課題を解決するための手段】
【００１０】
本考案の耳掛け型ワイヤレスヘッドセットは、無線により音声信号の送受信を行う無線送受信部（例えば、Ｂｌｕｅｔｏｏｔｈ送受信器等により構成）、前記音声信号の増幅、ノイズ除去等の処理を行う音声信号処理部、及び電源供給用のバッテリを含む電気・電子部品が収容されたハウジングと、一端が前記ハウジングに回転自在に取り付けられ、他端が使用者の耳介の外周に沿って回動して前記耳介の外周に掛けられる湾曲状のイヤーフックと、前記ハウジングに突設され、前記音声信号処理部で処理された前記音声信号を音波に変換して外耳道へ導入するイヤホン（例えば、カナル型等のイヤホン）と、一端が前記ハウジングに挿脱自在に挿着され、他端が前記使用者の口元付近に配置され、前記口元から発せされる音波を音声信号に変換し、前記音声信号処理部を通して前記無線送受信部へ送るマイクロホンと、を有することを特徴とする。
【考案の効果】
【００１１】
本考案によれば、イヤーフックの一端がハウジングに回転自在に取り付けられているので、使用する際の装着時には、イヤーフックの他端を開いてイヤホンの先端（例えば、イヤーピース）を外耳道へ挿入した後に、そのイヤーフックの他端を耳介の外周に沿って閉じることにより、左右それぞれ独立したワイヤレスヘッドセットを安定した形で耳介に保持できる。これにより、装着性が向上し、落下等を防止できる。しかも、マイクロホンの一端を挿脱自在にハウジングに挿着した時に、そのマイクロホンの他端が使用者の口元付近に配置されるので、クリアで良好な音声通話が可能になる。従って、音声通話性能、装着安定性、及び落下防止機能を含めたヘッドセット品質の高い耳掛け型ワイヤレスヘッドセットを提供できる。
【図面の簡単な説明】
【００１２】
【図１】本考案の実施例１における耳掛け型ワイヤレスヘッドセットの外観を示す図
【図２】図１中のマイクロホンを外した時の状態を示す外観図
【図３】図１（ｃ）中のマイクロホンを外した時の拡大図
【図４】図３（ａ）を右側から見た一部切欠き断面図
【図５】図２のワイヤレスヘッドセットの外観の拡大図
【図６】図１中のマイクロホンの外観を示す拡大図
【考案を実施するための形態】
【００１３】
本考案を実施するための形態は、以下の好ましい実施例の説明を添付図面と照らし合わせて読むと、明らかになるであろう。但し、図面はもっぱら解説のためのものであって、本考案の範囲を限定するものではない。
【実施例１】
【００１４】
（実施例１の構成）
図１（ａ），（ｂ），（ｃ）は本考案の実施例１における耳掛け型ワイヤレスヘッドセットの外観を示す図であり、同図（ａ）は使用する際の装着状態を示す図、同図（ｂ）は同図（ａ）中のワイヤレスヘッドセットの正面図、及び同図（ｃ）は同図（ｂ）の左側面図である。図２（ａ），（ｂ），（ｃ）は図１中のマイクロホンを外した時の状態を示す外観図であり、同図（ａ）はマイクロホンを外した装着状態を示す図、同図（ｂ）はマイクロホンを分離したワイヤレスヘッドセットの正面図、及び同図（ｃ）は同図（ｂ）のイヤーフックを開いた図である。図３（ａ），（ｂ）は図１（ｃ）中のマイクロホンを外した時の拡大図であり、同図（ａ）は外観図、及び同図（ｂ）は同図（ａ）の一部切欠き断面図である。図４は、図３（ａ）を右側から見た一部切欠き断面図である。図５（ａ），（ｂ）は図２のワイヤレスヘッドセットの外観の拡大図であり、同図（ａ）はイヤーフックを閉じた時の正面図、及び同図（ｂ）は同図（ａ）の背面図である。更に、図６は図１中のマイクロホンの外観を示す拡大図である。
【００１５】
図１〜図６において、使用者１の耳介２に装着される本実施例１の耳掛け型ワイヤレスヘッドセット１０は、無線により音声信号の送受信を行う無線送受信部、その音声信号の増幅やノイズ除去等の処理を行う音声信号処理部、及び電源供給用のバッテリを含む電気・電子部品が収容された筐体であるハウジング２０と、一端がハウジング２０に回転自在に取り付けられ、他端が使用者１の耳介２の外周に沿って回動してその耳介２の外周に掛けられる湾曲状のイヤーフック３０と、ハウジング２０に突設され、前記音声信号処理部で処理された音声信号を音波に変換して外耳道３へ導入するイヤホン（例えば、カナル型イヤホン）４０と、一端がハウジング２０に挿脱自在に挿着され、他端が使用者１の口元４の付近に配置され、その口元４から発せられる音波を音声信号に変換し、前記音声信号処理部を通して前記無線送受信部へ送るマイクロホン５０と、を有している。
【００１６】
ハウジング２０は、中空の略直方体をなし、内部にプリント基板２１が収容されている。プリント基板２１には、無線送受信部、音声信号処理部、及びバッテリを含む電気・電子部品２２が搭載されている。無線送受信部は、例えば、Ｂｌｕｅｔｏｏｔｈ送受信器等により構成されている。ハウジング２０の正面側の一端部には、プリント基板２１に接続された操作ボタン２３が設けられている。操作ボタン２３は、バッテリのオン／オフ切り換え、音量調整等を行う押釦スイッチである。ハウジング２０の正面側の略中央には、動作状態を示す発光ダイオード（ＬＥＤ）等の動作表示灯２４が設けられている。ハウジング２０の正面側の他端部には、内蔵の音声マイクロホン２５が設けられている。
【００１７】
ハウジング２０の他端部の内部には、イヤーフック３０を回転自在に取り付けるための回転軸３１が設けられている。回転軸３１には、湾曲状のイヤーフック３０の一端３０ａが取り付けられ、そのイヤーフック３０の他端３０ｂが、使用者１の耳介２の外周に沿って回動してその耳介２の外周に掛けられる構成になっている。図１（ｂ）及び図５（ｂ）において、イヤーフック３０の他端３０ｂは、破線の位置から実線の位置へ手動にて回動するようになっており、耳介２への装着時には、イヤーフック３０の他端３０ｂを破線の位置まで開いてカナル型イヤホン４０の先端を外耳道３へ挿入した後に、その他端３０ｂを実線の位置まで閉じることにより、左右それぞれ独立したワイヤレスヘッドセット１０を安定した形で耳介２に保持できる構成になっている。
【００１８】
図３等において、ハウジング２０の背面側の一端部には、カナル型イヤホン４０が突設されている。カナル型イヤホン４０は、ハウジング２０の背面側の一端部から略垂直方向に突出されたドライバユニット４１を有している。ドライバユニット４１は、電気・電子部品２２中の音声信号処理部で増幅やノイズ除去等の処理がされた音声信号を音波に変換するものであり、図示しないが、マグネット、ボイスコイル及び振動板により構成されている。そして、マグネットにより構成された磁気回路中に、ボイスコイルを有する振動板が配置され、そのボイスコイルに音声信号が入力されると、振動板が振動して音波が発生する構造になっている。ドライバユニット４１の正面側には、円筒状の音導部４２が傾斜して突設されている。音導部４２は、振動板から発生した音波を所定方向へ送出（導出）するものであり、外耳道３の傾斜に対応して、ドライバユニット４１の正面側から傾斜して突出している。音導部４２の外周には、イヤーピース４３が着脱自在に装着されている。イヤーピース４３は、外耳道３へ挿入されるものであり、シリコンゴム等の軟質性樹脂により、略傘状に形成されている。
【００１９】
図４において、ハウジング２０の側面側の一端部には、マイクロホン５０を挿脱自在に挿着するためのジャック２６が設けられている。ジャック２６は、電気・電子部品２２中の信号処理部等に接続されている。ジャック２６の両側近傍には、このジャック２６に挿入されるマイクロホン５０を支持するための２つの支持穴２７，２８が形成されている。
【００２０】
図６において、マイクロホン５０は、棒状のアーム５１を有し、このアーム５１の一端に、ハウジング２０側のジャック２６に挿着される小型単頭プラグ等のプラグ５２が設けられている。プラグ５２の両側近傍には、ジャック２６側の２つの支持穴２７，２８に挿入するための２つの支持突起５３，５４が設けられている。アーム５１内には、プラグ５２に接続された複数本のリード線５５がそのアーム５１の他端まで延設されている。アーム５１の他端には、リード線５５に接続された集音部５６が設けられている。集音部５６は、使用者１の口元４から発せられる音波を音声信号に変換し、リード線５５を通してプラグ５２へ送るものである。
【００２１】
（実施例１の使用方法）
図１において、マイクロホン５０が挿着されたワイヤレスヘッドセット１０をモノラル再生用の片耳用として使用する場合、使用者１は、その装着時に、イヤーフック３０を破線の位置まで開いて、イヤホン４０のイヤーピース４３を外耳道３に挿入した後、イヤーフック３０を実線の位置まで閉じる。これにより、イヤーフック３０が耳介２の外周に掛けられ、安定した形で、耳介２に保持されると共に、マイクロホン５０の他端の集音部５６が、口元４付近に配置される。又、ワイヤレスヘッドセット１０をステレオ再生用の両耳用として使用する場合、図２において、マイクロホン５０を取り外した他のワイヤレスヘッドセット１０を用意し、図２（ｃ）に示すように、イヤーフック３０を開いて、イヤホン４０のイヤーピース４３を他方の外耳道３に挿入した後、図２（ｂ）に示すように、イヤーフック３０を閉じる。これにより、イヤーフック３０が他方の耳介２の外周に掛けられ、安定した形で、他方の耳介２に保持される
【００２２】
携帯電話機やパーソナルコンピュータ等の外部機器との間で、近距離無線通信を行う場合、ワイヤレスヘッドセット１０の操作ボタン２３を押下して電気・電子部品２２中のバッテリ電源をオンする。すると、動作表示灯２４が点灯する。外部機器から無線通信にて到来する音声信号は、ハウジング２０に収容された電気・電子部品２２中の無線送受信部で受信され、音声信号処理部で増幅やノイズ除去等の処理が行われる。処理された音声信号は、イヤホン４０中のドライバユニット４１にて音波に変換され、音導部４２を通してイヤーピース４３から外耳道３内の鼓膜へ送られる。
【００２３】
一方、口元４から発せられた音波は、マイクロホン５０の集音部５６にて音声信号に変換され、アーム５１内のリード線５５を通してプラグ５２から、ハウジング２０側のジャック２６へ送られる。ジャック２６へ送られた音声信号は、ハウジング２０に収容された電気・電子部品２２中の音声信号処理部で増幅やノイズ除去等の処理が行われた後、無線送受信部から無線にて外部機器へ送信される。これにより、外部機器との間で、無線による音声通信が行える。
【００２４】
（実施例１の効果）
本実施例１によれば、以下の（１）〜（３）のような効果がある。
【００２５】
（１）  イヤーフック３０の一端３０ａがハウジング２０側の回転軸３１に回転自在に取り付けられているので、ワイヤレスヘッドセット１０を使用する際の装着時には、イヤーフック３０の他端３０ｂを開いてイヤーピース４３を外耳道３へ挿入した後に、そのイヤーフック３０の他端３０ｂを耳介２の外周に沿って閉じることにより、左右それぞれ独立したワイヤレスヘッドセット１０を安定した形で耳介２に保持できる。これにより、装着性が向上し、落下等を防止できる。
【００２６】
（２）  マイクロホン５０の一端のプラグ５２をハウジング２０側のジャック２６に挿着した時に、そのマイクロホン５０の他端の集音部５６が使用者１の口元４の付近に配置されるので、クリアで良好な音声通話が可能になる。
【００２７】
（３）  マイクロホン５０を使用しない場合は、その一端のプラグ５２をハウジング２０側のジャック２６から引き抜けば良い。これにより、ワイヤレスヘッドセット１０の軽量化と使い勝手が向上する。
【００２８】
以上の（１）〜（３）から、音声通話性能、装着安定性、及び落下防止機能を含めたヘッドセット品質の高い耳掛け型ワイヤレスヘッドセット１０を提供できる。
【００２９】
（変形例）
本考案は、上記実施例１に限定されず、種々の利用形態や変形が可能である。この利用形態や変形例としては、例えば、次の（ａ），（ｂ）のようなものがある。
【００３０】
（ａ）  図６のマイクロホン５０において、アーム５１部分を軟質性部材やコイルスプリング等により形成して湾曲可能な構造に変形しても良い。或いは、アーム５１部分を複数の収納可能な鞘部材等により伸縮可能な構造に変形しても良い。これにより、集音部５６を口元４へ的確に配置させることができ、集音性能と使い勝手をより向上できる。
【００３１】
（ｂ）  ハウジング２０の形状や構造、操作ボタン２３や動作表示灯２４等の付属部品、或いは、イヤホン４０の形状や構造等は、図示以外のものに変形しても良い。
【符号の説明】
【００３２】
１      使用者
２      耳介
３      外耳道
４      口元
１０      ワイヤレスヘッドセット
２０      ハウジング
２１      プリント基板
２２      電気・電子部品
３０      イヤーフック
３１      回転軸
４０      イヤホン
４１      ドライバユニット
４２      音導部
４３      イヤーピース
５０      マイクロホン
５１      アーム
５２      プラグ
５６      集音部
【図１】
0003232029.tif 000003
【図２】
0003232029.tif 000004
【図３】
0003232029.tif 000005
【図４】
0003232029.tif 000006
【図５】
0003232029.tif 000007
【図６】
0003232029.tif 000008
【手続補正書】
【提出日】令和3年3月19日(2021.3.19)
【手続補正１】
【補正対象書類名】実用新案登録請求の範囲
【補正対象項目名】請求項２
【補正方法】変更
【補正の内容】
【請求項２】
前記無線送受信部は、
Ｂｌｕｅｔｏｏｔｈ（登録商標）送受信器により構成されている、
ことを特徴とする請求項１記載の耳掛け型ワイヤレスヘッドセット。